(57)【要約】【課題】    小型軽量のＬＥＤを装備させることによって、装飾的に自ら発光する光装飾用発光部を備えたブレスレットの提供。【解決手段】本考案のブレスレットは、手首を巡る環状体と当該環状体の両端に設けられた環状連結用の係脱自在のフック部とを備え、前記環状体表面のアクセサリー配設部に光装飾用発光部を設け、前記光装飾用発光部内にＬＥＤを内設すると共に前記環状体に前記ＬＥＤへの給配電手段を配設したことを特徴とする。  又、光装飾用発光部は内部に配設されたＬＥＤの光を透過する光透過性部材であることを特徴とする。【選択図】  図３
0003179571.tif 000002
【実用新案登録請求の範囲】
【請求項１】
手首を巡る環状体と当該環状体の両端に設けられた環状連結用の係脱自在のフック部とを備え、前記環状体表面のアクセサリー配設部に光装飾用発光部を設け、前記光装飾用発光部内にＬＥＤを内設すると共に前記環状体に前記ＬＥＤへの給配電手段を配設したことを特徴とするブレスレット。
【請求項２】
光装飾用発光部は内部に配設されたＬＥＤの光を透過する光透過性部材であることを特徴とする請求項１に記載のブレスレット。
【請求項３】
光透過性部材は無彩色であることを特徴とする請求項１又は請求項２に記載のブレスレット。
【請求項４】
光透過性部材は有彩色であることを特徴とする請求項１又は請求項２に記載のブレスレット。
【請求項５】
光透過性部材は球体であることを特徴とする請求項１乃至請求項４の何れかに記載のブレスレット。
【請求項６】
光装飾用発光部はアクセサリー配設部に手首を巡るよう連続的に配設されたことを特徴とする請求項１乃至請求項５の何れかに記載のブレスレット。
【請求項７】
給配電手段は、少なくとも電源としての電池部と給電線としての配線部とＯＮ／ＯＦＦスイッチ部とを備えていることを特徴とする請求項１乃至請求項６の何れかに記載のブレスレット。
【請求項８】
給配電手段は、少なくとも電源としての電池部とＬＥＤへの給電線としての配線部と前記電池部と配線部の間に介在する通電ＯＮ／ＯＦＦスイッチ部とを備えていることを特徴とする請求項１乃至請求項６の何れかに記載のブレスレット。
【請求項９】
電池部は環状体の一部を構成するように環状体の途中に設けられ、通電ＯＮ／ＯＦＦスイッチ部は電池部を構成する電池ケースの表面に設けられたことを特徴とする請求項８に記載のブレスレット。
【請求項１０】
配線部は環状体に内設され、環状体の表面に配設された複数のＬＥＤに並列接続されたことを特徴とする請求項８又は請求項９に記載のブレスレット。
【請求項１１】
ＬＥＤと配電部とは、配電部が絶縁樹脂製の帯状の環状体に内設され、ＬＥＤが前記環状体の表面に当該環状体の延在方向に列設され、列設されたＬＥＤと環状体とが電気的に接続された状態で一体成形されていることを特徴とする請求項８乃至請求項１０の何れかに記載のブレスレット。
【請求項１２】
一体成形された多数のＬＥＤと環状体とを、貫通孔を設けた多数の光透過性部材に通し、各透過性部材の貫通孔の内部に前記ＬＥＤを１個ずつ配設したことを特徴とする請求項１１に記載のブレスレット。
【考案の詳細な説明】
【技術分野】
【０００１】
本考案は、発光手段としてのＬＥＤを備えたブレスレッド、即ち装身具としての腕輪に関するものである。
【背景技術】
【０００２】
出願人は、発光手段としてのＬＥＤを備えたブレスレットを知らない。近時、このＬＥＤ（発光ダイオード）は、省電力化の社会的要請に伴って、ＬＥＤ電球等の各種照明機器や信号灯等に活用されている。
【０００３】
従来のブレスレットは、貴金属や疑似的な貴金属、或いは、宝石やガラス製等の模倣品で装飾されていたが、何れも、外部からの光を反射して煌めく装飾が施されていた。
【考案の概要】
【考案が解決しようとする課題】
【０００４】
本考案は、小型軽量のＬＥＤを装備させることによって、装飾的に自ら発光する光装飾用発光部を備えたブレスレットの提供を目的とする。
【課題を解決するための手段】
【０００５】
請求項１のブレスレットの発明は、手首を巡る環状体と当該環状体の両端に設けられた環状連結用の係脱自在のフック部とを備え、前記環状体表面のアクセサリー配設部に光装飾用発光部を設け、前記光装飾用発光部内にＬＥＤを内設すると共に前記環状体に前記ＬＥＤへの給配電手段を配設したことを特徴とする。
【０００６】
請求項２の発明は、請求項１に記載のブレスレットにおいて、光装飾用発光部は内部に配設されたＬＥＤの光を透過する光透過性部材であることを特徴とする。
【０００７】
請求項３の発明は、請求項１又は請求項２に記載のブレスレットにおいて、光透過性部材は無彩色であることを特徴とする。
【０００８】
請求項４の発明は、請求項１又は請求項２に記載のブレスレットにおいて、光透過性部材は有彩色であることを特徴とする。
【０００９】
請求項５の発明は、請求項１乃至請求項４の何れかに記載のブレスレットにおいて、光透過性部材は球体であることを特徴とする。
【００１０】
請求項６の発明は、請求項１乃至請求項５の何れかに記載のブレスレットにおいて、光装飾用発光部はアクセサリー配設部に手首を巡るよう連続的に配設されたことを特徴とする。
【００１１】
請求項７の発明は、請求項１乃至請求項６の何れかに記載のブレスレットにおいて、給配電手段は、少なくとも電源としての電池部と給電線としての配線部とＯＮ／ＯＦＦスイッチ部とを備えていることを特徴とする。
【００１２】
請求項８の発明は、請求項１乃至請求項６の何れかに記載のブレスレットにおいて、給配電手段、少なくとも電源としての電池部とＬＥＤへの給電線としての配線部と前記電池部と配線部の間に介在する通電ＯＮ／ＯＦＦスイッチ部とを備えていることを特徴とする。
【００１３】
請求項９の発明は、請求項８に記載のブレスレットにおいて、電池部は環状体の一部を構成するように環状体の途中に設けられ、通電ＯＮ／ＯＦＦスイッチ部は電池部を構成する電池ケースの表面に設けられたことを特徴とする。
【００１４】
請求項１０の発明は、請求項８又は請求項９に記載のブレスレットにおいて、配線部は環状体に内設され、環状体の表面に配設された複数のＬＥＤに並列接続されたことを特徴とする。
【００１５】
請求項１１の発明は、請求項８乃至請求項１０の何れかに記載のブレスレットにおいて、ＬＥＤと配電部とは、配電部が絶縁樹脂製の帯状の環状体に内設され、ＬＥＤが前記環状体の表面に当該環状体の延在方向に列設され、列設されたＬＥＤと環状体とが電気的に接続された状態で一体成形されていることを特徴とする。
【００１６】
請求項１２の発明は、請求項１１に記載のブレスレットにおいて、一体成形された多数のＬＥＤと環状体とを、貫通孔を設けた多数の光透過性部材に通し、各透過性部材の貫通孔の内部に前記ＬＥＤを１個ずつ配設したことを特徴とする。
【考案の効果】
【００１７】
請求項１乃至請求項１２の各考案によれば、何れも、ＬＥＤが装飾的に発光するブレスレットを提供することができる。
【００１８】
請求項２の考案によれば、光透過度の異なる光透過性部材の選択、組み合わせの如何により、様々な色合いに発光するブレスレットを提供できる。
【００１９】
請求項３の考案によれば、ＬＥＤ自体の色合いを反映させて様々に発光するブレスレットを提供できる。
【００２０】
請求項４の考案によれば、ＬＥＤ自体の色合いと光透過性部材の有彩色との組合せ如何によって、様々に発光するブレスレットを提供できる。
【００２１】
請求項５の考案によれば、多数の球体を数珠状に列設することによって数珠状のブレスレットを提供できる。
【００２２】
請求項６の考案によれば、多数の光装飾用発光部を数珠状に列設することによって数珠状のブレスレットを提供できる。
【００２３】
請求項７乃至請求項１２の各考案によれば、ＬＥＤとそのＬＥＤへの給配電手段を一体的に備え、且つ、発光させた状態或いは又は発光させない状態（無発光）で使用可能なブレスレットを提供できる。
【００２４】
請求項９の考案によれば、アクセサリー配設部が設けられる環状体の途中に電池部を配置することによって、電池部自体の表面装飾の如何により、電池部の存在を気付かされないようにアクセサリー配設部に紛れ込ませることができる。
【００２５】
請求項１０の考案によれば、比較的脆弱な配電部を環状体に内設することによって、配電部をより確実に保護させることができる。
【００２６】
請求項１１の考案によれば、比較的廉価で製造容易な、一般にＳＭＤと称される表面実装型のＬＥＤ発光部品を用いることができる。
【００２７】
請求項１２の考案によれば、表面実装型のＬＥＤ発光部品のＬＥＤが列設されている帯状部を環状体としてそのまま用いることができ、廉価で製造容易な発光するブレスレットを提供できる。
【図面の簡単な説明】
【００２８】
【図１】図１は実施例１の数珠状ブレスレットを展開させた状態の側面図である。
【図２】図２は実施例１の数珠状ブレスレットを展開させた状態の平面図である。
【図３】図３は実施例１の数珠状ブレスレットを環状にした状態の側面図である。
【図４】図４は実施例１の数珠状ブレスレットの光装飾用発光部の拡大横断面図である。
【図５】図５は実施例１の数珠状ブレスレットの光装飾用発光部の拡大従断面図である。
【図６】図６は実施例１の電池部の拡大斜視図である。
【図７】図７は実施例２の数珠状ブレスレットを展開させた状態の側面図である。
【図８】図８は実施例２の数珠状ブレスレットを展開させた状態の平面図である。
【図９】図９は実施例２の数珠状ブレスレットを環状にした状態の側面図である。
【図１０】図１０は実施例２の電池部の拡大側面図である。
【図１１】図１１は実施例２の電池部の拡大底面図である。
【考案を実施するための形態】
【００２９】
本考案を実施するための最良の形態として、数珠状ブレスレットの実施例1及び実施例２を、以下、図１乃至図１１に示す図面に基づいて説明する。
実施例１は、図1乃至図６に示す通り、箱状ケースの電池部を環状体の途中に配設したブレスレットであり、実施例２は、図７乃至図１１に示す通り、筒容器状ケースの電池部を環状体の両端の一方側に配設したブレスレットである。
【実施例１】
【００３０】
図1乃至図６において、箱状ケースの電池部を環状体の途中に配設した数珠状ブレスレットの実施例１を説明する。
【００３１】
先ず、図１乃至図３において、図中の符号１は手首を巡る帯状の環状体であり、当該環状体１の両端側には、当該環状体１を環状に連結するために、環状連結用の係脱自在のフック部２とが設けられている。
帯状の環状体１の外表面は、各種様々なアクセサリー(図示せず)が配設されるアクセサリー配設部であるが、この実施例１では、アクセサリーとして透明な球体３が多数連設されており、当該球体３が光装飾用発光部（３）とされており、この光装飾用発光部（３）内に発光素子として発光ダイオード４（以下、ＬＥＤともいう）が内設されている。
尚、符号５は環状体１に装備された前記ＬＥＤ４への給配電手段を構成する電源部としての電池部であり、５２はその電池ケースである。
【００３２】
この実施例１の光装飾用発光部（３）は内部に配設されたＬＥＤ４の光をそのまま透過させる無色透明の光透過性部材であるが、光透過性部材（３）は無彩色即ち無色透明に限らず、所望の有彩色であってもよい。
【００３３】
又、実施例１では球状の光装飾用発光部（３）がアクセサリー配設部に手首を巡るよう連続的に数珠状に配設されているが、相当な間隔を置いて配設されてもよいし、間隔を置いてランダムに配設されてもよい(図示せず)。この場合、間隔領域には適当なアクセサリー(図示せず)を適宜配設するとよい。
【００３４】
次に、ＬＥＤ４への給配電手段について説明する。給配電手段は、少なくとも、電源としての電池部５と、当該電池部５からＬＥＤ４への給電線としての配線部６と、電池部５と配線部６との間に介在させたスライド式の通電ＯＮ／ＯＦＦスイッチ部７（以下、単にスイッチ部ともいう）とを備えている。
【００３５】
この実施例１では、図１乃至図３に示すように、電池部５は環状体１の一部を構成するように帯状の環状体１の途中に設けられており、この電池部５は、電池として図６に示すように２個のボタン電池５１を環状体１の延在方向に横並びに並べて用い、このように配設された２個のボタン電池を収納する長い箱状の電池ケース５２の一側の表面にスイッチ部即ち通電ＯＮ／ＯＦＦスイッチ部７が設けられている。
【００３６】
又、この実施例１では、電源部としての電池ケース５２からＬＥＤ４に至る配線部６は、絶縁樹脂製の帯状の環状体１に、＋−各１本の２本が平行に配線された給電線が内設されており、環状体の表面に配設された各ＬＥＤ４の２本のリード線に各々接続され、各ＬＥＤ４が並列接続されている。
【００３７】
尚、ＬＥＤ４と配電部６とは、当該配電部６が絶縁樹脂製の帯状の環状体１に内設されると共に、ＬＥＤ４がこの帯状の環状体１の外表面に、当該環状体１の延在方向に数珠状に列設され、列設されたＬＥＤと環状体とが電気的に接続された状態で一体成形（射出成型）されている、所謂、ＳＭＤと称される表面実装型のＬＥＤ発光部品を用いると好適である。
【００３８】
この表面実装型のＬＥＤ発光部品を用いる場合、図３乃至図５に示すように、多数のＬＥＤ４を列状に表面に備えた環状体１を、多数の球状の各光透過性部材３毎に設けた貫通孔３１に通し、各透過性部材３毎の貫通孔３１の内部に前記のＬＥＤ４が１個ずつ収まる方に配設することで、廉価且つ容易に本考案のブレスレットを製造することができる。
【実施例２】
【００３９】
図７乃至図１１において、筒容器状ケースの電池部を環状体の両端の一方側に配設した数珠状ブレスレットの実施例２を説明する。
【００４０】
この実施例２の数珠状ブレスレットが上記実施例１の数珠状ブレスレットと異なる点は、電池部５を環状体１の環状の途中に配設されておらず、電池部２５を環状体１の両端の一方側、即ち、環状体１の一方端側であって当該一方端側に設けられるフック部２との間に配設された点にある。
【００４１】
又、当該電池部２５の構造が筒容器状ケース２５２であって、当該筒容器状ケース２５２内にボタン電池５１が上下に重ねられた状態で収納された点と、スイッチ部２７が当該筒容器状ケース２５２の一方端の蓋体、図では筒底側の蓋体にあって、ＯＮ／ＯＦＦ操作が当該蓋体の左右回転のダイヤル式で実現している点にある。
【００４２】
更に、仔細に看れば、筒容器状ケース２５２の胴周面の一方に帯状体１が接続され、その他方にフック部２が接続されて、環状体１の延在方向に対して直交する方向に筒中心軸が位置するように当該筒容器状ケース２５２が配設されている点にもある。
【００４３】
以上の外は、上記実施例1と実質的に同様であるので、同一符号を付して、その内容の説明を省略する。
【００４４】
上記の実施例1及び２においては、何れも光装飾用発光部（３）として球体を用い、数珠状ブレスレットを例にしたが、光装飾用発光部（３）は球体である必要は光透過性部材であれば、その形状は問わないし、数珠状に連設する必要もなく、適宜、散在させて配設してもよい。
【００４５】
又、用いる各ＬＥＤ（発光ダイオード）は、赤、青、緑の光の三原色の何れかでもよいし、それ等を組み合わせた色合いや白色光を用いてもよい。
又、ＬＥＤの発光色と光装飾用発光部（３）としての光透過性部材の地色との組合せによって多様な色合いを発生させてもよい。
【産業上の利用可能性】
【００４６】
本考案は、数珠状のブレスレットに適用した例を説明したが、ブレスレットに限らず、広く光装飾用ように利用することができる。
【符号の説明】
【００４７】
１      環状体
２      フック部
３      球体（光装飾用発光部）
４      ＬＥＤ（発光ダイオード）
５      電池部（電源）
６      配線部
７      通電ＯＮ／ＯＦＦスイッチ部（スイッチ部）
５１    ボタン電池
２５    電池部（実施例２）
２７    通電ＯＮ／ＯＦＦスイッチ部（実施例２）
２５２  筒容器状電池ケース（実施例２）
【図１】
0003179571.tif 000003
【図２】
0003179571.tif 000004
【図３】
0003179571.tif 000005
【図４】
0003179571.tif 000006
【図５】
0003179571.tif 000007
【図６】
0003179571.tif 000008
【図７】
0003179571.tif 000009
【図８】
0003179571.tif 000010
【図９】
0003179571.tif 000011
【図１０】
0003179571.tif 000012
【図１１】
0003179571.tif 000013